(57)【要約】　　　（修正有）【課題】不完全なシステム構成である場合の、構成し得るモジュラーシステムにおける信号完全性の改善。【解決手段】差し込みソケット１の接触部品７は、差し込みソケット１にスイッチングアッセンブリ２が装着された後、基板３の表面において伝導性の接触ゾーン３４を有する信号配線３２と電気的に導通するように接続され、未装着状態のときには、信号配線３２から電気的に絶縁される。その結果、空いている組み込み領域がある完全に構成されていないシステムにおいて、信号配線３２上で伝送される信号のためのクロックレートをより高くすることが可能となる。【選択図】　図１
2004111913.tif 000002
【特許請求の範囲】
【請求項１】
接触面（６）を備えるスイッチングアッセンブリ（２）を基板（３）に固定して電気的に接触させるために、
基板（３）に配置されている信号配線（３２）と、
スイッチングアッセンブリ（２）を装着して基板（３）に取り付けるための、少なくとも１つの受け入れ装置（５）および接触部品（７）を含む差し込みソケット（１）とを含んでいる構造であって、
上記信号配線（３２）は、基板（３）の差し込みソケット（１）に向かい合う表面に、接触ゾーン（３４）を備え、
スイッチングアッセンブリ（２）が受け入れ装置（５）に配置されていない、上記構造の未装着状態において、少なくとも１つの接触部品（７）は、接触ゾーン（３４）から電気的に絶縁されており、
スイッチングアッセンブリ（２）が受け入れ装置（５）に配置されている、上記構造の装着状態において、少なくとも１つの接触部品（７）は、第１接触領域（７０１）において、基板（３）にある少なくとも１つの接触ゾーン（３４）と電気的に接触していることを特徴とする構造。
【請求項２】
上記の少なくとも１つの接触部品（７）は、第２接触領域（７０２）を備え、上記装着状態のとき、接触部品（７）は、第２接触領域（７０２）において、スイッチングアッセンブリ（２）の少なくとも１つの接触面（６）と電気的に接触することを特徴とする、請求項１に記載の構造。
【請求項３】
上記差し込みソケット（１）は、複数の接触部品（７）を備えていることを特徴とする、請求項１または２に記載の構造。
【請求項４】
上記差し込みソケットは絶縁ボディ（４）を備え、上記受け入れ装置（５）は絶縁ボディ（４）に溝として構成されており、上記接触部品（７）は、受け入れ装置（５）の少なくとも１つの内面（５１）に配置されており、スイッチングアッセンブリ（２）の少なくとも１つの端部に配置されている接触面（６）と向き合うように配置されていることを特徴とする、請求項１ないし３のいずれかに記載の構造。
【請求項５】
上記接触部品（７）は、受け入れ装置（５）の相互に向かい合って配置されている２つの内面（５１）に配置されていることを特徴とする、請求項４に記載の構造。
【請求項６】
上記接触部品（７）は、上記未装着状態のときは弛んでおり、上記装着状態のときは応力がかかる接触バネ部品として構成されていることを特徴とする、請求項１ないし５のいずれかに記載の構造。
【請求項７】
差し込みソケット（１）にある接触部品（７）は、基板（３）に対して少なくとも垂直な方向に変位することができるように配置されており、上記未装着状態のときは基板から遠い位置となり、上記装着状態のときは基板に近い位置となることを特徴とする、請求項１ないし６のいずれかに記載の構造。
【請求項８】
上記接触部品（７）は、基板（３）に対して垂直な方向および平行な方向にそれぞれ弾性的に変形することができ、
差し込みソケット（１）が上記未装着状態のとき、基板（３）に対して垂直な方向への変位が最も小さく、基板（３）に対して平行な方向への変位が最も大きく、
上記装着状態のとき、基板（３）に対して垂直な方向への変位が最も大きく、基板（３）に対して平行な方向への変位が最も小さいことを特徴とする、請求項１ないし７のいずれかに記載の構造。
【請求項９】
上記接触部品（７）は、略楕円形にそれぞれ構成されており、受け入れ装置（５）の内面（５１）の固定点（７３）に固定されており、　基板（３）および装着されるスイッチングアッセンブリ（２）の表面に対して略垂直に配置されていることを特徴とする、請求項８に記載の構造。
【請求項１０】
上記の少なくとも１つの接触部品（７）は、第２接触領域（７０２）を備え、上記装着状態のとき、接触部品（７）は、第２接触領域（７０２）において、スイッチングアッセンブリ（２）の少なくとも１つの接触面（６）と電気的に接触し、
接触部品（７）の上記第１接触領域（７０１）および上記第２接触領域（７０２）は、共通の回転軸の周りを回転することができ、相互にずれているようにそれぞれ配置されており、上記接触領域（７０１，７０２）の少なくとも１つまたは機械的なてこ装置は、上記未装着状態のとき、少なくとも部分的に、上記スイッチングアッセンブリ（２）の導入経路に備えられており、スイッチングアッセンブリ（２）を受け入れ装置（５）に導入することにより、回転することができることを特徴とする、請求項１ないし９のいずれかに記載の構造。
【請求項１１】
基板（３）にある少なくとも１つの信号配線（３２）は、遮断位置（３７）と、遮断位置（３７）の両側のそれぞれに配置されている２つの部分的接触ゾーン（３４１，３４２）とを備え、第１接触ゾーン（３４１）は、制御モジュール（３１）の方へ向かう側にあり、
上記装着状態の時には、信号配線（３２）に対応する接触部品（７）の第１接触領域（７０１）を用いて、信号配線（３２）の２つの部分的接触ゾーン（３４１，３４２）が、相互に電気的に接続されることを特徴とする、請求項１ないし１０のいずれかに記載の構造。
【請求項１２】
少なくとも１つの接触部品（７）は、第３接触領域（７０３）を備え、基板（３）の表面に、終端部（３６）と電気的に導通するように接続されている少なくとも１つの終端ゾーン（３４´）が備えられており、上記未装着状態のとき、第３接触領域（７０３）を用いて、終端ゾーン（３４´）は、第１部分的接触ゾーン（３４１）と電気的に導通するように接触され、上記装着状態のときに、終端ゾーン（３４´）は、第１部分的接触ゾーン（３４１）から電気的に絶縁されることを特徴とする、請求項１１に記載の構造。
【請求項１３】
上記接触ゾーン（３４）または部分的接触ゾーン（３４１，　３４２）および終端ゾーン（３４´）は、信号配線（３２）よりも大きく横方向へ広がっていることを特徴とする、請求項１ないし１２のいずれかに記載の構造。
【請求項１４】
上記接触ゾーン（３４）または部分的接触ゾーン（３４１，　３４２）および終端ゾーン（３４’）は、金メッキにより構成されるか、あるいは、金メッキにより被覆されていることを特徴とする、請求項１ないし１３のいずれかに記載の構造。
【請求項１５】
スイッチングアッセンブリ（２）のための少なくとも１つの受け入れ装置（５）と、接触部品（７）とを備える、スイッチングアッセンブリ（２）を基板（３）に固定して電気的に接触させるための差し込みソケットであって、
請求項１ないし１２のいずれかに記載の構造に従う差し込みソケット（１）の特徴のうち少なくとも１つにより特徴づけられる差し込みソケット。
【請求項１６】
スイッチングアッセンブリ（２）を基板（３）に固定して電気的に接触させるための差し込みソケットのための接触部品であって、
請求項１ないし１２のいずれかに記載の構造に従う接触部品の特徴のうち少なくとも１つにより特徴付けられる接触部品。
【発明の詳細な説明】
本発明は、接触面を備えるスイッチングアッセンブリを基板に固定して電気的に接触させるために、基板に配置されている信号配線と、スイッチングアッセンブリを差し込んで基板に取り付けるための、少なくとも１つの受け入れ装置および接触部品を有する差し込みソケットとを含んでいる構造に関するものである。さらに、本発明は、このような構造のための差し込みソケットおよび接触部品に関するものである。
【０００１】
多様な構造を有するモジュラー電子システムでは、通常、１つあるいはそれ以上の組み込み領域を有するシステムボードが、モジュラー構成部品のために備えられている。組み込み領域は、システムの要求またはシステムの拡張段階に応じて、それぞれ１つのモジュラー構成部品が差し込まれているか、あるいは、差し込まれていないままである。この場合、当然、モジュラー構成部品のインターフェースは、同じであるか、あるいは、互換性がある。さらに、モジュラー構成部品の機能が類似している必要はない。モジュラー構成部品は、例えば、メモリーモジュールまたはインターフェースモジュールのようなスイッチングアッセンブリである。
【０００２】
組み込み領域は、通常、差し込みソケットとして構成されている。この差し込みソケットは、基板、例えば、システムボード（原板）に固定されている。さらに、差し込みソケットは、基板にある信号配線とスイッチングアッセンブリにある接触面との間にそれぞれ１つの電気的接続を確立する。
【０００３】
差し込みソケットにより、スイッチングアッセンブリを簡単に交換でき、簡単に後付けできる。
【０００４】
このようなモジュラーシステムの一般的な例は、拡張可能な作業メモリーを有するコンピュータシステム（ＰＣ，ワークステーション、サーバー）である。この場合、システムボードに、メモリーモジュールのための領域（スロット）が、差し込みソケットの形状で備えられており、必要とされる大きさの作業メモリーに応じてメモリーモジュールが差し込まれている。システムにおける組み込み領域の数は、最大限の拡張に合わせられているので、通常、１つあるいはそれ以上の差し込みソケットにはなにも差し込まれていない。さらに、より少数のメモリーモジュールを有するバスシステムにより、より高い伝送レートが可能となるので、速度が重要なアプリケーションでは、システムの最大限の拡張は意図的にも避けられる。
【０００５】
メモリーモジュールへの、および、メモリーモジュールからのより高いクロックレートおよびデータ伝送レートに伴って、バスシステムの信号配線の形成がより一層必要となる。バスシステムにおいてより高いクロックレートを保証するため、、一般的には信号配線を短くし、寄生容量、インダクタンス、および抵抗を可能な限り小さくし、また、信号配線上の反射点をできる限り少なくすることが必要である。
【０００６】
通常の差し込みソケットを有する構造は、何も差し込まれていない状態でも、大きな寄生容量、および、少なくとも１つの非常に妨げとなる反射点を含んでいる。このことを、以下に図３を参照して説明する。
【０００７】
図３に示す構造は、基板３に配置されている差し込みソケット１を示している。差し込みソケット１は、絶縁ボディ４を備え、この絶縁ボディ４に、スイッチングアッセンブリ２を受け入れるための受け入れ装置５が備えられている。スイッチングアッセンブリ２は、接触面６を備えている。受け入れ装置５に、接触部品７と接触装置８とを有する接触ピン９が、それぞれ配置されている。接触装置８は、基板３上または基板３内に配置されている信号配線３２，３２´と電気的に導通して接続されている。
【０００８】
図３の右側の絵では、差し込みソケット１にはスイッチングアッセンブリ２が、受け入れ装置５内に配置されるように差し込まれている。接触部品７は、それぞれ対応する接触面６と接触している。
【０００９】
図３の左側の絵では、差し込みソケット１に何も差し込まれていない。接触部品７は、それぞれ、割り当てられた信号配線３２，３２’のアンテナ状のスタブを形成している。このスタブは容量を形成し、この容量は、信号配線３２が伝送する信号の信号形状を変形させ、信号を遅延させる。接触部品７の終点および端部は、反射位置である。そこで反射される信号は、信号配線３２，３２’が伝送する信号に対して、妨害信号として作用する。一般的に、高速バスシステムにおける通常の差し込みソケットは、空の、何も差し込まれていない状態のとき、妨害を増加させており、従って、バスシステム内で取り得るデータ伝送レートを制限する。
【００１０】
従って、本発明の目的は、不完全なシステム構成である場合の、構成し得るモジュラーシステムにおける信号完全性が、従来の構造と比較して改善されている構造を提供することである。本発明の第２の目的は、本発明の構造のための差し込みソケットを提供することである。さらに、本発明の目的は、本発明の差し込みソケットのための接触部品を提供することである。
【００１１】
これらの目的は、特許請求項１を特徴付ける特徴部分に基づく構造、特許請求項１５を特徴付ける特徴部分に基づく差し込みソケット、および、特許請求項１６を特徴付ける特徴部分に基づく接触部品によって、それぞれ達成される。本発明に基づく有利な発展形は、従属特許請求項に記載されている。
【００１２】
本発明に基づく構造では、差し込みソケットの接触部品は、差し込みソケットが未装着状態のとき、基板に形成されている信号配線と接触していない。接触部品は、差し込みソケットが装着状態のときにのみ、バスシステムの信号配線と電気的に導通するように接続される。
【００１３】
本発明に基づく構造は、未装着状態のとき、信号配線の信号完全性を悪化させる反射位置および付加的な寄生容量を有していない。本発明の構造により、不完全なシステム構成の場合の、バスシステムのためのより高いクロックレートおよびデータ伝送レートが可能となる。
【００１４】
詳しく説明すると、スイッチングアッセンブリを基板に固定して電気的に接触させるための本発明の構造は、基板に配置されている信号配線を含み、この信号配線は、基板の差し込みソケットに向かい合う表面に、接触ゾーンを備えている。さらに、本発明の構造は、少なくとも１つの受け入れ装置と接触部品とを有する差し込みソケットを含んでいる。この受け入れ装置と接触部品とは、差し込みソケットが装着状態のとき、受け入れ装置に配置されているスイッチングアッセンブリの各対応する接触面と向かい合っており、この接触面と接触する。
【００１５】
さらに、接触部品は、構造が装着状態のとき、接触部品は、第１接触領域において、基板の接触ゾーンのうちの１つとそれぞれ電気的に接触するように構成されている。
【００１６】
未装着状態のとき、スイッチングアッセンブリが受け入れ装置に配置されていない未装着状態のとき、接触部品は、接触ゾーンから電気的に絶縁されている。
【００１７】
接触部品は、それぞれ１つの第２接触領域を備えていることが好ましい。この接触領域によって、接触部品は、装着状態のときに、スイッチングアッセンブリの少なくとも１つの接触面と電気的に接触している。
【００１８】
受け入れ装置が、溝として絶縁ボディに構成されていることが好ましい。接触部品は、溝の１つまたは２つの内面に並んでそれぞれ備えられており、スイッチングアッセンブリの少なくとも１つの端部に配置されている接触面と向かい合っている。その他に、受け入れ装置は、符号化装置、付加的な導入部品および固定部品または取り出しの仕組みのような、通常の専門家用の構造を必要に応じて備えている。
【００１９】
本発明の構造の好ましい実施形態では、接触部品が、未装着状態のときは弛み、装着状態のときは応力がかかる接触バネ部品として構成される。
【００２０】
本発明のさらに他の好ましい実施形態では、差し込みソケットに配置されている接触部品が、基板に対して少なくとも垂直な方向に変位することができるように備えられている。この場合、この接触部品は、未装着状態のときは、基板から遠い位置となり、装着状態のときは基板に近い位置となる。近い位置のときは、対応する接触ゾーンに接触部品が接触しており、一方、遠い位置のときは、接触部品が接触ゾーンから電気的に絶縁されている。
【００２１】
本発明の構造の特に好ましい形態は、基板に対して垂直な方向および平行な方向にそれぞれ弾性的に変形することができる接触部品を備えている。この接触部品は、差し込みソケットが未装着状態のとき、基板に対して垂直な方向への変位が最も小さく、基板に対して平行な方向への変位が最も大きい。この場合、接触部品の第１接触領域は、信号配線の接触ゾーンと接触しない。
【００２２】
接触部品は、装着状態のとき、基板に対して垂直な方向への変位が最も大きく、基板に対して平行な方向への変位が最も小さい。この場合、接触部品は、第１接触領域において、信号配線の対応する接触ゾーンと接触し、第２接触領域において、スイッチングアッセンブリの対応する接触面と接触する。
【００２３】
このような接触部品は、様々なやり方で実現でき、例えばｕ字型に構成されて、ｕ字型接触部品の辺のうちの１つに第２接触領域が形成され、それと交差する辺に第１接触領域が形成される。接触部品は、環状に形成され、受け入れ装置の内側の固定点に固定されていることが好ましい。環として構成することにより、接触部品は、補強され、力学的な負荷をかけることができる。
【００２４】
本発明に基づく構造の他の形態では、接触部品の第１および第２接触領域が、共通の回転軸の周りを回転でき、好ましくは少なくとも２０°の角度だけ相互にずれているようにそれぞれ配置される。接触領域の少なくとも１つまたは機械的なてこ部品は、未装着状態のとき、差し込みソケットの受け入れ装置に配置できるスイッチングアッセンブリの導入経路に、少なくとも一部分が備えられる。スイッチングアッセンブリを導入することにより、接触部品の２つの接触領域が、差込位置の方向に向かって回転する。この差込位置において、接触領域は、接触ゾーンもしくは接触面と電気的に接触する。さらに、スイッチングアッセンブリを導入する際に、バネ力装置、例えば回転軸のねじれモーメント、に応力がかかる。スイッチングアッセンブリを抜き取る際に、バネ力装置は、接触部品を回転して初期位置に戻す。この初期位置では、第１接触領域は、接触ゾーンに接触しない。この構造の有利な形態は、接触アームが、約４５°〜１３５°または１６０°〜１８０°だけ相互にずれている場合に得られる。
【００２５】
本発明の特に好ましい他の実施形態では、基板にある信号配線が、遮断位置およびこの遮断位置の両側に配置されている２つの部分的接触ゾーンを備えており、信号配線に対応する接触部品の第１接触領域を架橋できる。その結果、装着状態のとき、信号配線の２つの部分的接触ゾーンはそれぞれ相互に電気的に接続される。
【００２６】
本発明のこの実施形態は、特に有利である。なぜなら、非常に簡単で経済的な方法により、信号配線の配線の長さが、実際のシステム拡張に適合するからである。差し込みソケットに決められた順序で装着が行われるようにしさえすればよい。バスシステムの信号配線は、最初の未装着の差し込みソケットにおいて遮断され、単なる装着により、それぞれ必要に応じた延長が行われる。このことにより、クロックレートを各システム構成に適合させることができる。
【００２７】
基板または他の差し込みソケットに配置されている制御モジュールから始まって、導通経路が途切れなく連続するように差し込みソケットへの装着を行う場合、第１部分的接触ゾーンは、制御モジュールの方を向いており、第２部分的接触ゾーンは、未装着の差し込みソケットの方を向いている。
【００２８】
基板の表面に、終端ゾーンが備えられていると有利である。この終端ゾーンは、それぞれ１つの終端部と接続される。この終端部は、基板の背面側にも配置できる。
【００２９】
接触部品は、さらに、付加的な第３接触領域を備えている。第３接触領域を用いて、未装着状態のときには、終端ゾーンと第１部分的接触ゾーンとが電気的に導通するようにそれぞれ接続される。一方、装着状態のとき、終端ゾーンは、第１部分的接触ゾーンから分離される。本発明に基づく構造の実施形態では、信号配線は、導通経路が途切れなく連続するように差し込みソケットへの装着を行う場合、最初の未装着の差し込みソケットでそれぞれ終了する。従って、終端部の構造は、非常に簡単で経済的な方法で各システム構成に適合する。
【００３０】
接触ゾーンは、接触部品との接触面を拡大するため、信号配線よりもより大きく横方向に広がっていることが好ましい。このことにより、接触抵抗をより少なくし、確実な接触を生成できる。
【００３１】
より大きな横方向への広がりにより、信号配線のインピーダンスが減少し、結果的に整合しない。信号配線上で伝送される信号の波長に対して接触ゾーンが短い場合、接触ゾーンの前および／または後ろの信号配線の横方向への広がりがどの程度小さいかに応じてインピーダンスの増加を行うことにより、上記不整合を補償することができる。
【００３２】
しかし、より大きく横方向に広がる接触ゾーンの場合、信号配線と接触ゾーンとの間の遷移部分も、反射位置を形成するので、他の好ましい実施形態では、接触ゾーンは、信号配線と同じ断面である。従って、接触ゾーンを、特に適切な材料、例えば金メッキなどにより被覆することにより、信頼性のある接触が確実となる。
【００３３】
上記のような本発明に基づく構造は、本発明の構造に関連して既に説明されたような本発明に基づく差し込みソケットをそれぞれ備えている。
【００３４】
同じく、上記のような本発明に基づく差し込みソケットは、本発明の構造に関連して既に説明されたような、複数の本発明に基づく接触部品をそれぞれ備えている。接触部品は多数あってもよい。
【００３５】
以下に、本発明を、図を参照して詳しく説明する。対応する構成部品および部材には同じ参照番号が使用されている。
【００３６】
図１は、本発明の第１実施例に基づく本発明の構造の概略的な断面図を示す。図２は、ラインバスシステムの概略図を示す。図３は、従来の構造の概略的な断面図を示す。図４は、本発明の第２実施例に基づく本発明の構造の概略的な断面図を示す。図５は、本発明の構造の第１または第２実施例に基づく接触ゾーンを含む信号配線を備える本発明の構造の細部における基板の平面図を示す。図６は、本発明の第３実施例に基づく本発明の構造の概略的な断面図および該構造の細部における基板の平面図を示す。
【００３７】
図３については冒頭部分で既に説明した。
【００３８】
図１に示す構造は、基板３に配置されている本発明の差し込みソケット１を示し、この差し込みソケット１は、絶縁ボディ４を備えている。この絶縁ボディ４に、スイッチングアッセンブリ２を受け入れるため、溝として構成されている受け入れ装置５が形成されている。スイッチングアッセンブリ２は、接触面６を備えている。受け入れ装置５に、環状の弾性のある接触部品７が配置されている。この接触部品７は、受け入れ装置５の内側（内面）５１の固定点７３にそれぞれ固定されている。
【００３９】
接触部品７は、略楕円形にそれぞれ構成されており、　基板３および装着されるスイッチングアッセンブリ２の表面に対して（長軸が）略垂直に配置されている。
【００４０】
基板３に、接触ゾーン３４を有する信号配線３２が備えられている。基板３に構成されている信号配線３２の接触ゾーン３４は、被覆絶縁されていない。その他に、接触ゾーン３４は、接触特性の良い材料により被覆されていてもよい。この場合、接触ゾーン３４は、対応する接触部品７の下側にそれぞれ配置されている。
【００４１】
図１の左側の絵に、未装着状態の差し込みソケット１を示す。接触部品７は、弛んでいる状態であり、基板３上の対応する各接触ゾーン３４とは接触していない。基板３の表面に対して平行な広がり空間において、接触部品７が、受け入れ装置５に配置できるスイッチングアッセンブリ２の導入経路に突出している。
【００４２】
さて、受け入れ装置５にスイッチングアッセンブリ２が導入されて、差し込みソケット１が装着状態になると、接触部品７は、基板３の表面に対して水平な方向に押しつぶされる。同時に、接触部品７は、基板３の表面に対して垂直な方向に伸びる。
【００４３】
図１の右側の絵に、スイッチングアッセンブリ２が受け入れ装置５に配置されている装着状態の差し込みソケット１を示す。接触部品７は、第１接触領域７０１において、信号配線３２の接触ゾーン３４と接触し、第２接触領域７０２において、スイッチングアッセンブリ２の接触面６とそれぞれ接触している。
【００４４】
スイッチングアッセンブリ２が受け入れ装置５から離れると、接触部品７は弛み、もとの形状に戻る。接触部品７と対応する接触ゾーン３４との接触が断ち切られる。
【００４５】
接触部品７は、未装着状態のとき、信号配線３２から電気的に分離されており、信号配線３２が伝送する信号に対して、寄生インピーダンスや反射位置を形成しない。
【００４６】
図２に、制御モジュール３１と終端部（ターミネータ）３６との間に信号配線３２が引き回されたラインバスシステムを有する構造を図式的に示す。このシステムは、メモリーモジュール２のための２つの組み込み領域を備えており、これら組み込み領域は、差し込みソケット１として備えられている。各差し込みソケット１のために、ラインバスシステムの信号配線３２から延びる１つのスタブ３３がそれぞれ備えられている。
【００４７】
図４に示す構造は、接触部品７の構造のみが、図１に示す構造とは異なっている。接触部品７の２つの接触領域７０１，７０２は、接触部品７の異なる接触アームに配置されている。この場合、接触アームは、共通の回転軸７４の周りを回転できるように備えられている。
【００４８】
図４の左側の絵では、差し込みソケット１には未装着状態であり、接触部品７は、弛んだ状態である。第１接触領域７０１を備える接触アームは、基板３の接触ゾーン３４に接触していない。第２接触領域７０２を備える接触アームは、受け入れ装置５に配置されるスイッチングアッセンブリ２の導入経路に突出している。受け入れ装置５の内側５１に接触部品７を配置することにより、例えば機械的な振動による、接触部品７と接触ゾーン３４との間の予期せぬ接触を回避できる。
【００４９】
さて、差し込みソケット１が、スイッチングアッセンブリ２が受け入れ装置５に配置された装着状態であるとき、第２接触領域７０２を備えている接触アームは、スイッチングアッセンブリ２から離れるように回転する。同時に、第１接触領域７０１を有する他方の接触アームは、基板３の表面の方向へそれぞれ回転する。
【００５０】
図４の右側の絵では、差し込みソケット１は、スイッチングアッセンブリ２が受け入れ装置５に配置された装着状態にある。接触部品７は、第１接触領域７０１において、基板３の信号配線３２の接触ゾーン３４と接続し、第２接触領域７０２において、スイッチングアッセンブリ２の接触面６とそれぞれ接触している。
【００５１】
差し込みソケット１への装着と同時に、バネ力装置が応力のかかった状態となる。このバネ力装置は、最も簡単には、回転軸７４のねじれモーメントにより実現されている。スイッチングアッセンブリ２が、受け入れ装置５から離れると、バネ力装置が弛み、接触部品７は、回転して再び初期位置に戻る。
【００５２】
図５は、接触ゾーン３４を有する信号配線３２の一部をそれぞれ基板３の俯瞰図で示す。この際、接触ゾーン３４がスイッチングアッセンブリの対応する接触面の構造に相当して相互にずれて重なり合うように２列に配置されている場合、信号配線３２の左側に示す配置がそれぞれ生じる。スイッチングアッセンブリの接触面が、相互に直接重なり合うように２列に配置されている場合、信号配線３２の右側に示す配置がそれぞれ生じる。
【００５３】
図５（ａ）に、接触部品との接触面を拡大するため、信号配線３２よりも大きく横方向に広がった接触ゾーン３４を示す。このことにより、より低い接触抵抗および確実な接触が生成される。しかし、信号配線３２と接触ゾーン３４との間の遷移部分は、反射位置を形成し、拡大された接触ゾーン３４は、インピーダンスを減少させる。
【００５４】
図５（ｂ）では、信号配線３２と同じ横方向への広がりを有する接触ゾーン３４が備えられている。これにより、反射位置の形成が回避され、インピーダンスは減少しない。信頼性のある接触は、接触ゾーン３４を金メッキなどの特に適した材料により被覆することによって確実となる。
【００５５】
図６に、回転可能な接触アームに供えられている接触領域７０１，７０２を備える接触部品７を有する他の構造を示す。
【００５６】
図６（ａ）に示す差し込みソケットは、この場合、付加的な接触領域７０３を有する接触部品７を備え、この付加的な接触領域７０３は、第３接触アームに配置されている。第３接触領域７０３はそれぞれ、未装着状態のとき、基板の表面に配置されている一つの終端ゾーン３４’と接触している。
【００５７】
終端ゾーン３４´は、それぞれビアホール３５を介して、基板３の差し込みソケット１に面している側と反対側となる背面側に固定されている終端部３６と、電気的に導通するように接続されている。
【００５８】
差し込みソケット１に向かい合っている表面に配置されている接触ゾーンは、遮断位置３７において相互に向かい合う部分的接触ゾーン３４１と３４２とに分割されている。
【００５９】
図６（ａ）の左側の絵では、差し込みソケット１は未装着状態であり、接触部品７は、弛んだ状態である。第１接触領域７０１を備える接触アームは、基板３の第２部分的接触ゾーン３４２と接触しておらず、受け入れ装置５に配置されるスイッチングアッセンブリ２の導入経路に突出している。
【００６０】
図６（ｂ）の上側の部分に示すように、未装着状態のとき、各第１部分的接触ゾーン３４１は、割り当てられている終端ゾーン３４’と第３接触領域７０３を介して電気的に導通するように接続されている。これに対し、対応する部分的接触ゾーン３４１および３４２は、相互に絶縁されている。その結果、制御モジュール３１に繋がる信号配線３２は、第１部分的接触ゾーン３４１および終端部３６において終了する。
【００６１】
従って、システムの差込場所１への装着が導通経路上で連続して行われるようなものである場合、信号配線３２は、最初に現れる未装着の差し込みソケットによって、更なる手段を講じなくても、終端処理されるという利便性がある。更なる処置を行わなくても、終端処理するのに適切な場所において常に終端処理される。同じく、信号配線３２が、使用されていない部分３２’の分だけ短くなるという利点がある。
【００６２】
さて、スイッチングアッセンブリ２が受け入れ装置５に配置されており、差し込みソケット１が装着状態のとき、第１接触領域７０１を備える接触アームが、基板３の表面の方向に回転する。同時に、第３接触領域７０３を有する接触アームは、基板３の表面から離れるように回転する。
【００６３】
図６ａの右側の絵では、差し込みソケット１は、スイッチングアッセンブリ２が受け入れ装置５に配置された装着状態となっている。接触部品７は、第１接触領域７０１によって遮断位置３７をそれぞれ架橋する。その結果、対応する部分的ゾーン３４１、３４２は、電気的に導通するように接続される。これに対して、各第１部分的接触ゾーン３４１と終端ゾーン３４’との間の電気的な接続は、それぞれ切断される。
【００６４】
図６（ｂ）の下側の部分に示すように、装着状態のとき、差し込みソケット１に割り当てられている終端部３６も信号配線３２から電気的に分離されている。遮断位置３７を第２接触領域７０２で架橋することにより、信号配線３２は、例えば、後続の差し込みソケットまたは終端部へと延長される。
【００６５】
スイッチングアッセンブリ２を受け入れ装置５から抜き取る際に、接触部品７は回転して再びもとの位置に戻る。
【００６６】
差し込みソケット１に割り当てられている終端部３６は、背面側に対称に配置されている。その結果、簡単に共通のＶＴＴ配線（ＶＴＴアイランド）３８を備えることができる。
【００６７】
信号配線３２よりも大きく横方向へ広がっていることは、接触ゾーン３４、部分的接触ゾーン３４１、部分的接触ゾーン３４２、終端ゾーン３４´のそれぞれについて独立に決めることができる。上記例では、接触ゾーン３４あるいは部分的接触ゾーン３４１，　３４２と、終端ゾーン３４´とが信号配線３２よりも大きく横方向へ広がっている。
【００６８】
また、金メッキにより構成されることは、接触ゾーン３４、部分的接触ゾーン３４１、部分的接触ゾーン３４２、終端ゾーン３４’のそれぞれについて独立に決めることができる。上記例では、接触ゾーン３４あるいは部分的接触ゾーン３４１，　３４２と、終端ゾーン３４´とが金メッキにより構成される。
【図面の簡単な説明】
【図１】本発明の第１実施例に基づく本発明の構造の概略的な断面図である。
【図２】ラインバスシステムの概略図である。
【図３】従来の構造の概略的な断面図である。
【図４】本発明の第２実施例に基づく本発明の構造の概略的な断面図である。
【図５】（ａ）および（ｂ）は、本発明の構造の第１または第２実施例に基づく接触ゾーンを含む信号配線を備える本発明の構造の細部における基板の平面図である。
【図６】（ａ）は、本発明の第３実施例に基づく本発明の構造の概略的な断面図、（ｂ）は、該構造の細部における基板の平面図である。
【符号の説明】
１　　　差し込みソケット
２　　　スイッチングアッセンブリ
３　　　基板
３１　　制御モジュール
３２　　信号配線
３２‘　信号配線の一部
３３　　スタブ
３４　　接触ゾーン
３４１　第１部分的接触ゾーン
３４２　第２部分的接触ゾーン
３４‘　終端ゾーン
３５　　ビアホール
３６　　終端部
３７　　遮断位置
３８　　ＶＴＴ配線
４　　　絶縁ボディ
５　　　受け入れ装置
５１　　内側
６　　　接触面
７　　　接触部品
７０１　第１接触領域
７０２　第２接触領域
７０３　第３接触領域
７３　　固定点
７４　　回転軸
８　　　接触装置
９　　　接触ピン
【図１】
2004111913.tif 000003
【図２】
2004111913.tif 000004
【図３】
2004111913.tif 000005
【図４】
2004111913.tif 000006
【図５】
2004111913.tif 000007
【図６】
2004111913.tif 000008